(57)【要約】      （修正有）【課題】骨格全体の歪みを矯正したり、全身を好適にマッサージしたりすることのできる簡便な健康美容用具を提供する。【解決手段】柔軟性を有する外装カバー１１内に、５〜７ｃｍの直径を有する３つの弾性球体１２を収容して構成される。弾性球体１２は、それぞれ任意の１つが隣り合う他の２つに対し同時に外接可能となる位置に配置されて可撓性の接続部材１３，１４により繋ぎ合わされている。接続部材１３，１４は、弾性伸縮性を有する繊維からなり、弾性球体１２には硬式テニス用ボールが用いられる。又、外装カバー１１はシルク製である。【選択図】図２
0003160661.tif 000002
【実用新案登録請求の範囲】
【請求項１】
柔軟性を有する外装カバー内に、５〜７ｃｍの直径を有する３つの弾性球体を収容して構成される健康美容用具であり、
前記弾性球体は、それぞれ任意の１つが隣り合う他の２つに対し同時に外接可能となる位置に配置されて可撓性の接続部材により繋ぎ合わされていることを特徴とする健康美容用具。
【請求項２】
前記接続部材は、弾性伸縮性を有する繊維からなることを特徴とする請求項１記載の健康美容用具。
【請求項３】
前記弾性球体は、８．１６５ｋｇの荷重をかけたときの変形量が０．４〜１．１ｃｍの硬度を有するものであることを特徴とする請求項１、又は２記載の健康美容用具。
【請求項４】
前記弾性球体は、硬式テニス用ボールであることを特徴とする請求項１、又は２記載の健康美容用具。
【請求項５】
前記外装カバーがシルク製であることを特徴とする請求項１〜４のいずれか１項に記載の健康美容用具。
【考案の詳細な説明】
【技術分野】
【０００１】
本考案は、骨格や関節の歪みを矯正したり、筋膜を引き伸ばしたりするのに用いて好適な健康美容用具に関する。
【背景技術】
【０００２】
人間の頭蓋骨は２３個の骨が組み合わさって構成されており、それら骨同士の接続部分は縫合と称されている。縫合は、呼吸に合わせて僅かに開閉し、頭蓋骨と骨盤との間で脳脊髄液を循環させている。
【０００３】
脳脊髄液は、脳内で血液を濾過して作られるものであり、体内に僅か２５０ｃｃ程度しかない。そして、係る脳脊髄液は、中枢神経を通って脳から出された指令や栄養を身体の隅々まで伝え、全１２種類の神経を働かせている。表情を左右する顔面神経や三叉神経を働かせるのも脳脊髄液の役割である。又、脳脊髄液は、顔の近くを通る体液であるため、その流れの良し悪しが顔色、顔面の浮腫み、肌の木目などに大きく影響を及ぼすことになる。
【０００４】
尚、脳脊髄液は、一日に通常４回体内を循環すると言われているが、日々の動作（例えば、食事の際における左右いずれかに偏った噛み癖、あるいは左右の歩幅の違いといった生活習慣）やイライラ・不安などによる精神的なストレスにより頭蓋骨が歪んでしまうと、縫合に隙間が生じたり、逆に縫合が詰まったりして脳脊髄液の循環が阻害され、その結果として顔全体の筋肉が捩れ、顔面が歪んだり、皺や弛み、浮腫みが生じたりすることになる。
【０００５】
ここに、顔の引き締め効果を得られるとする用具として、使用者の額周りに装着可能なベルトに突起部を設け、その突起部により額に点在するツボを刺激できるようにした整体矯正バンテージなるものが提案されている（例えば、特許文献１）。
【０００６】
又、使用者の背中を支持する支持面を有する背中支持部と、使用者の頚椎と頭蓋骨との連結部付近に当接する当接部及び頭蓋骨を載置する載置部を含む回転部と、を備えた胸椎・頚椎牽引矯正器具なるものが知られる（例えば、特許文献２）。
【先行技術文献】
【特許文献】
【０００７】
【特許文献１】登録実用新案第３０９１４７０号公報（段落００３７〜００３９、図１３、図１４）
【特許文献２】登録実用新案第３１２９８０９号公報（請求の範囲、図１〜図５）
【考案の概要】
【考案が解決しようとする課題】
【０００８】
しかしながら、特許文献１に開示される整体矯正バンテージは、額に点在するツボを刺激するものであって頭蓋骨の歪みを矯正するものでなく、このため頭蓋骨の歪みに起因する脳脊髄液の循環障害を解消したり、身体の各部位を刺激したりして、身体全体の骨格や関節の歪みの矯正、筋肉ならびに筋膜の引き伸ばしを行うことができない。
【０００９】
一方、特許文献２の胸椎・頚椎牽引矯正器具は、文字通り胸椎と頚椎を牽引してその歪みを矯正するものであるから、当該器具でも頭蓋骨の歪みに起因する脳脊髄液の循環障害を解消したり、身体の各部位を刺激したりして、身体全体の骨格や関節の歪みの矯正、筋肉ならびに筋膜の引き伸ばしによる整体効果は期待できない。
【００１０】
本考案は以上のような事情に鑑みて成されたものであり、その目的は骨格全体の歪みを矯正したり、全身を好適にマッサージしたりすることのできる簡便な健康美容用具を提供することにある。
【課題を解決するための手段】
【００１１】
本考案は上記目的を達成するため、
柔軟性を有する外装カバー内に、５〜７ｃｍの直径を有する３つの弾性球体を収容して構成される健康美容用具であり、
前記弾性球体は、それぞれ任意の１つが隣り合う他の２つに対し同時に外接可能となる位置に配置されて可撓性の接続部材により繋ぎ合わされていることを特徴とする。
【００１２】
又、上記のように構成される健康美容用具において、前記接続部材は、弾性伸縮性を有する繊維からなることを特徴とする。
【００１３】
更に、前記弾性球体は、８．１６５ｋｇの荷重をかけたときの変形量が０．４〜１．１ｃｍの硬度を有するものであることを特徴とする。
【００１４】
尚、前記弾性球体には硬式テニス用ボールを好適に用いることができる。又、前記外装カバーはシルク製であることが好ましい。
【考案の効果】
【００１５】
本考案に係る健康美容用具によれば、３つの弾性球体を身体各部に押し当てて骨格や関節の歪みを矯正できるほか、全身をマッサージして血行を促進し、さらには筋肉、筋膜を刺激してその緊張、疲労を和らげることができる。
【００１６】
又、３つの弾性球体は、柔軟性を有する外装カバー内に収容され、しかも任意の１つが隣り合う他の２つに対し同時に外接可能となる三角形状の配列態様にして可撓性の接続部材により繋ぎ合わされていることから、上肢や下肢の関節部分にも使用者自らが３つの弾性球体を同時に押し当てることができる。
【００１７】
加えて、弾性球体が硬式テニス用ボールとされるものでは、身体部位の押圧に際して痛みを伴わず、実用化も容易である。
【００１８】
更に、外装カバーがシルク製であれば、肌に触れて心地よく、しかもシルクから発散されるマイナスイオンにより美肌効果を期待でき、化学物質アレルギー疾患者でもアレルギー反応を示すことなく安心して使用することができる。
【図面の簡単な説明】
【００１９】
【図１】本考案に係る健康美容用具の実施形態を示す斜視図
【図２】図１に示した健康美容用具の断面概略図
【図３】各弾性球体の位置関係を示す説明図
【図４】本考案に係る健康美容用具の使用例を示す説明図
【図５】本考案に係る健康美容用具の使用例を示す説明図
【図６】本考案に係る健康美容用具の使用例を示す説明図
【図７】本考案に係る健康美容用具の使用例を示す説明図
【図８】本考案に係る健康美容用具の使用例を示す説明図
【図９】本考案に係る健康美容用具の使用例を示す説明図
【考案を実施するための形態】
【００２０】
以下、図面に基づいて本考案に係る健康美容用具の実施形態を詳しく説明する。先ず、図１により本考案を概説すれば、係る健康美容用具１は、柔軟性を有する外装カバー１１を包袋として、その中に３つの弾性球体１２を収容して構成されている。
【００２１】
このうち、外装カバー１１はシルク製、詳しくはシルク１００％の生地を用いて縫製されたものであり、その形態は図示せぬファスナーにより開閉される開口部を有する三角形の袋状とされている。
【００２２】
そのようなシルク製の外装カバー１１によれば、肌触りがよく皮膚に押し当ててがさつかず、しかもシルクから発散されるマイナスイオンにより美肌効果を期待できる。又、化学物質アレルギー疾患者でも、皮膚に触れてアレルギー反応を示さず、安心して使用することができる。
【００２３】
一方、弾性球体１２は、文字通り弾力性を有する球体で、好ましくは８．１６５ｋｇの荷重をかけたときの変形量が０．４〜１．１ｃｍ（より好ましくは０．５〜０．８ｃｍ）となる硬度を有するものであり、その直径は５〜７ｃｍ（より好ましくは６〜７ｃｍ）である。
【００２４】
その種の弾性球体１２は、合成ゴムや天然ゴムから容易に成形することができるが、本例では、係る弾性球体１２として市販の硬式テニス用ボールを用いている。尚、国際テニス連盟（ＩＴＦ）で公認される硬式テニス用ボールの条件は、重量５６．０〜５９．４ｇ、直径６．５４１〜６．８５８ｃｍで、かつ気温２０℃、湿度６０％、１気圧のもとで２５４ｃｍの高さからコンクリート床に落下させたときの跳ね上がり高さが１３４．６２〜１４７．３２ｃｍ、８．１６５ｋｇの荷重をかけたときの変形量が０．５５９〜０．７３７ｃｍであり、本考案の弾性球体１２として好適に用いることができる。
【００２５】
つまり、係る弾性球体１２は、使用者の身体部位に押し当てられるものであるところ、直径７ｃｍ程度の硬式テニス用ボールでは、その３つが身体の部位に好適にフィットし、しかも上記のような硬度であれば、使用者自らが８ｋｇ程度の加圧力を与えるだけで、その弾性球体１２が弾性変形し、それによって身体部位を適度の圧力で押圧することができる。
【００２６】
次に、図２および図３から明らかなように、３つの弾性球体１２は、直列でなく三角形状の配列態様にして、それぞれ任意の１つが隣り合う他の２つに対し同時に外接可能となる位置に配置されている。又、３つの弾性球体１２は、三角形状の配列が維持されるように繋ぎ合わされている。
【００２７】
図２および図３において、１３，１４は３つの弾性球体１２を繋ぎ合わせる可撓性の接続部材であり、本例ではこれに弾性伸縮性を有する繊維からなる袋物が用いられている。係る接続部材１３，１４の具体的構成を説明すると、本例の接続部材１３，１４は、ナイロン繊維糸などを袋状に編成して弾性伸縮性を付与した編物であり、このうち接続部材１３となる袋状編物の中には２つの弾性球体１２，１２が収容されている。又、係る接続部材１３は、２つの弾性球体１２，１２の間がその両弾性球体を分ける仕切り部１３ａとして狭窄されており、その仕切り部１３ａに弾性球体１２の他の１つを収容した接続部材１４の閉じ口部分１４ａが結ばれている。
【００２８】
そして、それら接続部材１３，１４は、外装カバー１１と協同して３つの弾性球体１２の遊動を許容しながら、それら弾性球体１２が相対的に数ｃｍ以上変位することを抑制して各弾性球体１２の三角形の配列が維持されるような働きをする。
【００２９】
尚、接続部材１３，１４は、弾性球体１２を包み込む袋状とすることに限らず、これを紐状にしてその端部に弾性球体１２を逢着するなどしてもよい。
【００３０】
次に、本考案に係る健康美容用具１の使用例とその作用効果について説明する。図４〜図６は、頭蓋骨の歪みの矯正を主とする使用例であり、このうち図４（ａ）は３つの弾性球体１２により前頭骨の二箇所と鼻根点とを押圧する使用例、図４（ｂ）は両眼と前頭骨の中心部とを押圧する使用例であり、これによれば眼精疲労を和らげることができる。
【００３１】
図５（ａ）は顎関節、上顎骨、及び下顎骨の三箇所を押圧する使用例、図５（ｂ）は蝶形骨、側頭骨、及び下顎骨の三箇所を押圧する使用例であり、前者の使用例では主に顎の歪みを矯正することができ、後者の使用例では瞼の開閉に関係する筋肉を刺激して瞼の弛みを防止することができる。
【００３２】
又、図６（ａ）は左右頭頂骨と後頭骨の中心部を押圧する使用例、図６（ｂ）は後頭骨の二箇所と頚椎とを押圧する使用例であり、前者の使用例ではラムダ縫合に生じていた隙間や詰まりが解消されて縫合の開閉運動が正常に行われるようになる結果、脳脊髄液の循環が活発化し、表情を左右する顔面神経や三叉神経といった神経系統が正常に機能するようになるため、顔の浮腫みや弛みが解消され、後者の使用例では頚椎の歪みを解消することができる。
【００３３】
ここに、図４および図５の使用例では、本願用具を使用者自らが手にして３つの弾性球体１２を該当箇所に押し当てるが、図６の使用例では使用者が仰臥して本願用具を頭の下に置くようにする。
【００３４】
尚、本願用具は、上記のように頭蓋骨や頚椎を押圧するだけでなく、そのほか図７のように上肢部分を押圧したり、図８のように下肢部分を押圧したりすることができる。又、図９のように、胸椎、腰椎、腸骨、仙骨、あるいはそれらの周辺三箇所に弾性球体１２を押し当てて使用することもできる。
【００３５】
このように、係る健康美容用具１によれば、３つの弾性球体１２を身体各部に押し当てて、全身の骨格や関節の歪みを矯正したり、全身の筋肉、筋膜を刺激してその緊張や疲労を和らげたりすることができる。尚、図７（ｂ）のように、上腕部分などをマッサージする場合には、弾性球体１２の一つを握り、他の二つを身体部位に押し当てながら前後に往復移動させるようにすると良く、この場合には手に握った１つの弾性球体１２を他の２つに押し付けながら身体部位に適度な押圧力を作用させることができる。
【００３６】
以上、本考案について説明したが、係る健康美容用具１は上記のような構成に限らず、例えば外装カバー１１の素材としてコットンや羊毛などを利用することもできる。
【符号の説明】
【００３７】
１  健康美容用具
１１  外装カバー
１２  弾性球体
１３，１４  接続部材
【図１】
0003160661.tif 000003
【図２】
0003160661.tif 000004
【図３】
0003160661.tif 000005
【図４】
0003160661.tif 000006
【図５】
0003160661.tif 000007
【図６】
0003160661.tif 000008
【図７】
0003160661.tif 000009
【図８】
0003160661.tif 000010
【図９】
0003160661.tif 000011